(57)【要約】      （修正有）【課題】とりわけ複雑ではなく、しかしそれにもかかわらず高機能のノズルを備えた被印刷体案内装置および該装置をコストをかけずに製造することを可能にする方法を提供する。【解決手段】被印刷体をノズル群１５によって案内する装置では、ノズル群１５の舌状部群１１.１、１２.１が実質的に櫛状の少なくとも１つの輪郭１１、１２によって境界が形成されている。【選択図】図２ｃ
2005104725.tif 000002
【特許請求の範囲】
【請求項１】
被印刷体(２)をノズル群(１５)によって案内する装置において、
前記ノズル群(１５)の舌状部(１１.１、１２.１)が実質的に櫛状の少    なくとも
１つの輪郭(１１、１２)によって境界が形成されていることを特徴とする、    被印
刷体をノズル群によって案内する装置。
【請求項２】
前記舌状部(１１.１、１２.１)は、互いに組立てられる、実質的に櫛状の連続した部品(７.１、７.２)に形成されている、請求項１に記載の装置。
【請求項３】
前記部品(７.１、７.２)が板状である、請求項２に記載の装置。
【請求項４】
前記部品(７.１、７.２)が殻状である、請求項２に記載の装置。
【請求項５】
前記舌状部(１１.１、１２.１)が、実質的にメアンダー状に走る切断線(１３)に沿って配置されている、請求項１に記載の装置。
【請求項６】
前記切断線(１３)がレーザ切断線である、請求項５に記載の装置。
【請求項７】
前記舌状部(１１.１、１２.１)が、前記切断線(１３)の両側に配置されている、請求項５または６に記載の装置。
【請求項８】
前記ノズル(１５)が吹き出しノズルである、請求項１から７のいずれか１項に記載の装置。
【請求項９】
前記吹き出しノズルが、実質的に前記被印刷体(２)の側縁(１７)の方を向いた吹き出し方向(吹き出し空気流１６)を有している、請求項１から８のいずれか１項に記載の装置。
【請求項１０】
前記ノズル(１５)が実質的に共通の消線(１９)上にある、請求項１から９のいずれか１項に記載の装置。
【請求項１１】
前記消線(１９)が、前記被印刷体(２)に関して実質的に真中にある、請求項１０に記載の装置。
【請求項１２】
前記舌状部(１１.１、１２.１)が案内面(７)に対して平面角度で傾いている、請求項１から１１のいずれか１項に記載の装置。
【請求項１３】
前記舌状部(１１.１、１２.１)が互い違いに傾いている、請求項１から１２のいずれか１項に記載の装置。
【請求項１４】
前記被印刷体(２)が枚葉紙状である、請求項１から１３のいずれか１項に記載の装置。
【請求項１５】
ノズル群(１５)を有する被印刷体案内装置(５、６)、特に請求項１から１４のいずれか１項にしたがって構成された装置を製造する方法において、
少なくとも１つの半完成品(７.１)に櫛輪郭を備えることによって、前記ノズル群(１５)の舌状部(１１.１、１２.１)を形成することを特徴とする方法。
【請求項１６】
前記半完成品(７.１)に実質的にメアンダー状の切り口(切断線１３)を備えることによって、前記ノズル群(１５)の舌状部(１１.１、１２.１)を形成する、請求項１５に記載の方法。
【請求項１７】
他の半完成品(７.２)に櫛輪を備え、その後、輪郭(１１)が他の櫛輪郭(１２)の方を向くように両半完成品(７.１、７.２)を組立てることによって、前記ノズル群(１５)の舌状部群(１１.１、１２.１)を形成する、請求項１５に記載の方法。
【請求項１８】
前記ノズル群(１５)の舌状部(１１.１、１２.１)を曲げ、それによって傾ける、請求項１５または１６に記載の方法。
【請求項１９】
請求項１から１４のいずれか１項にしたがって構成され、または請求項１５から１８のいずれか１にしたがって製造された装置(５、６)を備えた、被印刷体を処理する機械。
【請求項２０】
印刷機である、請求項１９に記載の機械。
【発明の詳細な説明】
【技術分野】
【０００１】
本発明は、ノズル群によって被印刷体を案内する装置と、そのような装置を製造する方法に関する。
【背景技術】
【０００２】
この種の装置の典型的な使用領域は、特許文献１、特許文献２、特許文献３にしたがって枚葉紙印刷機である。例えば特許文献４の場合にそうであるように、高度に複雑な見本にノズル群を配置し、整列することがしばしば行われる。そのような場合にもノズルを経済的に作るために、特許文献５に記載されているように、ノズルを回転対称な部品から作ることができる。いくらか複雑なノズル見本を備えた枚葉紙案内装置がある(特許文献６参照)。
【特許文献１】ドイツ特許出願公開明細書４０１４８３０Ａ１
【特許文献２】ドイツ特許発明明細書１９５４５７９９Ｃ１
【特許文献３】ドイツ特許発明明細書１９９０５０９５Ｃ２
【特許文献４】米国特許明細書５,８０３,４４８
【特許文献５】ドイツ特許出願公開明細書４４２７４４８Ａ１
【特許文献６】ドイツ特許出願公開明細書１００５７５７０Ａ１
【発明の開示】
【発明が解決しようとする課題】
【０００３】
したがって、本発明の目的は、とりわけ複雑ではなく、しかしそれにもかかわらず高機能のノズル群を備えた被印刷体案内装置、および該装置を、コストをかけずに製造することを可能にする方法を提供することにある。
【課題を解決するための手段】
【０００４】
この目的は、請求項１の特徴を有する装置と、請求項１５の特徴を有する方法によって達成される。請求項１９の特徴を有する機械が本発明に属する。
【０００５】
被印刷体をノズル群によって案内する、本発明による装置は、ノズルの舌状部が実質的に櫛状の少なくとも１つの輪郭によって境界が形成されていることを特徴とする。
【０００６】
この輪郭は内側の輪郭または外側の輪郭であってよい。このような櫛状輪郭は通常、歯と、歯同士の間にある間隙を有している。本発明による装置の舌状部は櫛状輪郭の歯も形成している。舌状部はノズルの、風の流れを案内する面を形成し、ノズルの作用方向を規定している。
【０００７】
以下に詳しく説明する、本発明の装置の実施態様は種々の点から有利である  。
【０００８】
製造技術の観点から有利な実施態様では、舌状部は、互いに組立てられる、実質的に櫛状の連続した部品に形成されており、各部品は板状または殻状に形成することができる。各部品は例えば本装置の案内板を構成する２つまたは３つ以上の金属薄板または金属薄板殻であってよい。
【０００９】
舌状部が実質的にメアンダー形状に走る切断線に沿って、特に切断線の両側に配置されている実施態様は製造技術の観点から同様に有利である。切断線のメアンダー形状は、ノズル群がつながる案内面に垂直な視線方向からわかる。舌状部はその製造の際にもメアンダー線に沿って例えば処理光線によって裁断される。製造の際に処理光線またはその代わりに他の切断工具が沿って案内されるメアンダー線はジグザグ線あるいは長方形振動、台形振動、正弦振動に対応する波線であってよい。処理光線は特にレーザ光線であり、この場合切断線はレーザ切断線である。
【００１０】
被印刷体は枚葉紙またはウェブ状であってよい。しかし、以下に説明する実施態様から生じる機能上の利点は、被印刷体が被印刷体枚葉紙であり、したがって被印刷体案内装置が枚葉紙案内装置である場合には、非常に大きなものとなる。すなわち被印刷体枚葉紙は、被印刷体を空気圧で案内する被印刷体案内装置に特に高い要求を課す。
【００１１】
ノズルは、実質的に被印刷体の側縁の方を向く吹き出し方向を有する吹き出しノズルであってよい。特に、ノズルは実質的に共通の消線(Ｆｌｕｃｈｔｌｉｎｉｅ)上にあり、その際ノズルはノズル列を構成している。吹き出し方向は、ノズル列内で隣接するないしは互いに続く２つのノズルのそれぞれが実質的に互いに反対方向を向くように交互になっていてよい。特に、ノズルの吹き出し方向は被印刷体の搬送方向に直交する方向を向いている。前述した消線は特に被印刷体に関して実質的に真中、例えば枚葉紙幅の真中を走る。
【００１２】
他の実施態様によれば、舌状部は既に述べた案内面に対して平面角(ｆｌａｃｈｗｉｎｋｌｉｇ)で傾き、例えば吹き出し方向の各々が案内面と一緒に鋭角をなす。その際、舌状部は、舌状部の各々が他の枚葉紙側縁に対して、ノズル列内のこの舌状部に隣接する舌状部よりも傾くように、特に交互に傾いている。
【００１３】
ノズル群を有する被印刷体案内装置を製造する、本発明による方法は、少なくとも１つの半完成品に櫛輪郭を備えることによって、ノズル群の舌状部を形成することを特徴とする。この櫛輪郭は、実質的にメアンダー状に走り、舌状部を画定する輪郭線と解釈される。本発明による製造方法は、比較的少ない処理工程で比較的多数のノズルの製造を可能にするので、特に効率がよい。
【００１４】
案内面を１つの部品で構成することに関する、本発明の製造方法の有利な実施態様では、後で、案内面を形成する半完成品が実質的にメアンダー形状の切り口を備えることによって、ノズルの舌状部が形成される。その際、半完成品は切断されないか、または２つの部品にばらばらにされない。半完成品は例えば鋼板または他の適切な材料からなる板であってよい。前記切り口または、半完成品に例えばレーザ光によって形成されるような切り口によって、同時にいくつかのノズルが作られる。有利なことに、個々のノズルに他の、個別の切り口は必要ない。
【００１５】
複数の部品、例えば２つの部品で案内面を形成することに関して有利な、方法の他の実施態様では、他の半完成品に櫛輪郭を備え、その後、輪郭が他の櫛輪郭の方を向くように両半完成品を組立てることによって、ノズル群の舌状部を形成する。両半完成品は、例えば、板縁が第１のステップにおいて、例えばレーザ切断によって、櫛状の輪郭にされ、それに続く第２のステップにおいて、舌状部の各々または櫛輪郭の歯が他の櫛輪郭の間隙に入り込むように、交互に噛み合わされる板であってよい。第１のステップと第２のステップの間で板は殻に曲げてもよい。この中間ステップは、案内面が平面ではなく、１次元に曲げられるときに必要である。他のステップは、ノズルの舌状部が、縁が折り曲げられるか、曲げられ、それによって(案内面に対して)傾けられることを含む。このステップは、案内面を唯一の半完成品から作る際に、この半完成品にメアンダー状の切込みを入れた後に行われ、案内面をいくつかの半完成品から組立てるときとは異なって、上記の第２のステップの後にまたは特に前に行うことができる。
【００１６】
本発明に従って構成され、または製造された被印刷体案内装置を含む、被印刷体を処理する機械も本発明の範囲に含まれる。この機械は特に印刷機であり、その代わりに被印刷体処理機械であってもよい。特に、この機械は枚葉紙処理機械、例えば枚葉紙印刷機である。
【発明を実施するための最良の形態】
【００１７】
次に、本発明の実施の形態を図面を参照して説明する。
【００１８】
図１には、枚葉紙状の被印刷体２を処理する機械１が図示されている。機械１は印刷機で、被印刷体搬送装置としてチェーンコンベア３と胴４を含んでいる。両被印刷体搬送装置には第１の被印刷体案内装置５と第２の被印刷体案内装置６が付属している。第１の被印刷体案内装置５は平坦な案内面７を有し、チェーンコンベア３の下に配置されている。第２の被印刷体案内装置６は胴４と同心に曲げられた案内面８を有し、胴４の下に配置されている。被印刷体案内装置５、６は吹き出し空気ボックスであり、被印刷体搬送装置を通り過ぎてそれらに運ばれてきた被印刷体２を、案内面７、８上に生じた空気クッションによって案内する役目をする。
【００１９】
案内面７が第１の部品７.１と第２の部品７.２から構成されることが図２ａから図２ｃによってわかる。部品７.１、７.２は薄い金属板からなり、板状である。案内板７は、被印刷体２の搬送方向１０に平行に延びる、中央のノズル列９を備えている。第１の部品７.１は実質的に櫛状の第１の輪郭、すなわち櫛輪郭１１を有し、第２の部品７.２は第２の櫛輪郭１２を有している。両櫛輪郭１１，１２は、両部品７.１、７.２が運転準備状態で組立てられたとき、第１の櫛輪郭１１の舌状部１１.１が櫛輪郭１２の間の間隙１２.２に入り込み、第２の櫛輪郭１２の舌状部１２.１が第１の櫛輪郭１１の間隙１１.２に入り込むように互いに交差している。両櫛輪郭１１、１２は、板をメアンダー状の切断線１３に沿って両部品７.１、７.２に切り分けることにより製造される。切断線１３のメアンダー形状は、案内面７に対して垂直な視線方向に基く図２ｂにおいて最も良くわかる。搬送方向１０に対応する視線方向に基づく図２ａから、両舌状部１１.１、１２.１が案内面７に対して、４５度よりもわずかに小さい角度α傾いていることがわかる。両舌状部１１.１、１２.１は搬送方向１０を横切り、かつノズル列９に沿って交互に右へ左へと傾き、そして両部品７.１、７.２を組立てる前、かつ折り曲げ線１４で折ることによってその傾きを保持している。各折り曲げ線１４は各舌状部１１.１、１２.１の脚部にある。舌状部１１.１、１２.１と間隙１１.２、１２.２は、空気流１６が被印刷体２の側縁１７(図３参照)の方を向いているノズル１５を一緒に形成している。
【００２０】
図３には、案内面７が、２つの部品７.１、７.２の代わりに１つの部品からなっていてもよいことが示されている。そのような単一の部品から成る案内面７を製造する際には、メアンダー形状の切断線１３は、接続部１８をそのままにし、半完成品の役目をする板をその全長にわたって切断しないように、最終的な切り口としてのみ仕上げられる。図２ａから２ｃに示す実施形態の場合とちょうど同じように、図３に示す変形例の場合でも、例えばレーザ光線によってとりわけ素早く、かつ正確に行うことができるメアンダー形状の切断の後、共通の消線１９上に配置されたノズル１５の舌状部１１.１、１２.１の折り曲げないし傾けを行うことができる。この消線１９は被印刷体２の被印刷体幅ｂに関して真中を走っている。
【００２１】
図４に示す第２の被印刷体案内装置６は、図３に示す第１の被印刷体案内装置５の変形例とは実質的に、案内面８が板状ではなく、殻状の(薄い金属板の)部品から成っている点のみ異なっている点だけで異なっている。案内面７とちょうど同じように、案内面８も単一の部品で形成されている。案内面８に設けられたノズル群１５は互いに一直線に並んだノズル列９に整列している。ノズル列９の各々はメアンダー状のそれ自身の切断線１３を有し、かつ案内面８を安定化する接続部１８によってその隣接するノズル列９から隔てられている。ノズル列９は被印刷体幅ｂ(図３を参照)に関して真中を長手方向に延びている。
【図面の簡単な説明】
【００２２】
【図１】第１および第２の被印刷体案内装置を有する印刷機を示す図である。
【図２ａ】第１の被印刷体案内装置の平面図である。
【図２ｂ】第１の被印刷体案内装置の他の例の平面図である。
【図２ｃ】第１の被印刷体案内装置のさらに他の例の平面図である。
【図３】第１の被印刷体案内装置の変形例を示す図である。
【図４】第２の被印刷体案内装置を３次元で示す図である。
【符号の説明】
【００２３】
１      機械
２      被印刷体
３      チェーンコンベア
４      胴
５      被印刷体案内装置
６      被印刷体案内装置
７      案内面
７.１    部品
７.２    部品
８      案内面
９      ノズル列
１０    搬送装置
１１    櫛輪郭
１１.１  舌状部
１１.２  間隙
１２    櫛輪郭
１２.１  舌状部
１２.２  間隙
１３    切断線
１４    折り曲げ線
１５    ノズル
１６    吹き出し空気流
１７    側縁
１８    接続部
１９    消線
α      傾き角度
ｂ      被印刷体幅
【図１】
2005104725.tif 000003
【図２ａ】
2005104725.tif 000004
【図２ｂ】
2005104725.tif 000005
【図２ｃ】
2005104725.tif 000006
【図３】
2005104725.tif 000007
【図４】
2005104725.tif 000008